(57)【要約】【課題】電極と接触する人体が、測定に適した状態（密着した状態）、即ち水で濡れているか否かの状態を判別できる生体測定装置及び生体測定方法を提供する。【解決手段】使用者の生体インピーダンスの測定に用いる電極群を備えた生体情報測定手段と、２つ以上の電極を用いて、使用者が電極に接触したときに使用者と電極との間に生ずる接触インピーダンスを測定する接触インピーダンス測定手段と、接触インピーダンス測定手段が測定した接触インピーダンスが、第１所定範囲内にあるか否かの判別をする判別手段と、を備える。【選択図】図２
2015002779.tif 000002
【特許請求の範囲】
【請求項１】
使用者の生体インピーダンスの測定に用いる電極群を備えた生体情報測定手段と、
２つ以上の電極を用いて、前記使用者が前記電極に接触したときに前記使用者と前記電極との間に生ずる接触インピーダンスを測定する接触インピーダンス測定手段と、
前記接触インピーダンス測定手段が測定した接触インピーダンスが、第１所定範囲内にあるか否かの判別をする判別手段と、を備えること
を特徴とする生体測定装置。
【請求項２】
前記接触インピーダンスが前記第１所定範囲内にないときは、前記使用者に対して、前記電極群に接触させる皮膚を濡らすよう指示する指示手段を備えることを特徴とする請求項１に記載の生体測定装置。
【請求項３】
前記生体測定装置は、
前記使用者に対して前記電極群から電流を供給する電流供給部と、
前記電流供給部が供給する電流に基づいて前記電極群を介して電圧を測定する電圧測定部と、
前記生体情報測定手段による前記生体インピーダンスの測定時に用いる電極を前記電流供給部又は前記電圧測定部に接続する第１電極接続と、前記接触インピーダンス測定手段による前記接触インピーダンスの測定時に用いる電極を前記電流供給部又は前記電圧測定部に接続する第２電極接続と、を切り換える電極切換手段と、を備えることを特徴とする請求項１又は請求項２に記載の生体測定装置。
【請求項４】
前記電極切換手段は、前記接触インピーダンス測定手段による前記接触インピーダンスの測定時に用いる電極を前記電流供給部又は前記電圧測定部に接続する第３電極接続への切り換えが可能であり、
前記第３電極接続において前記電流供給部及び前記電圧測定部に接続される前記電極は２つ以上であり、前記電極群のうち、前記第２電極接続において前記電流供給部又は前記電圧測定部と接続されない電極であり、
前記判別手段による前記判別は、前記第２電極接続において前記接触インピーダンス測定手段が測定した接触インピーダンスが前記第１所定範囲内にあるか否かの判別と、前記第３電極接続において前記接触インピーダンス測定手段が測定した接触インピーダンスが前記第１所定範囲内にあるか否かの判別と、を含むことを特徴とする請求項３に記載の生体測定装置。
【請求項５】
前記電極切換手段は、前記接触インピーダンス測定手段による前記接触インピーダンスの測定時に用いる電極を前記電流供給部又は前記電圧測定部に接続する第３電極接続への切り換えが可能であり、
前記第３電極接続において前記電流供給部及び前記電圧測定部に接続される前記電極は３つ以上であり、前記電極群のうち、前記第２電極接続において前記電流供給部又は前記電圧測定部と接続されない電極、及び、前記第２電極接続において前記電流供給部及び前記電圧測定部と接続される電極を含み、
前記判別手段による前記判別は、前記第２電極接続において前記接触インピーダンス測定手段が測定した接触インピーダンスが前記第１所定範囲内にあるか否かの判別と、前記第３電極接続において前記接触インピーダンス測定手段が測定した接触インピーダンスが前記第１所定範囲内にあるか否かの判別と、を含むことを特徴とする請求項３に記載の生体測定装置。
【請求項６】
前記接触インピーダンス測定手段に代えて、２つ以上の前記電極を用いて前記使用者が前記電極に接触したときに前記使用者と前記電極との間に生ずる接触レジスタンスを測定する接触レジスタンス測定手段、及び／又は、２つ以上の前記電極を用いて前記使用者が前記電極に接触したときに前記使用者と前記電極との間に生ずる接触リアクタンスを測定する接触リアクタンス測定手段を備え、
前記判別手段は、前記接触インピーダンス測定手段が測定した接触インピーダンスが第１所定範囲内にあるか否かの判別をすることに代えて、前記レジスタンス測定手段が測定した接触レジスタンスが第２所定範囲内にあるか否かを判別し、及び／又は、前記リアクタンス測定手段が測定した接触リアクタンスが第３所定範囲内にあるか否かを判別することを特徴とする請求項１に記載の生体測定装置。
【請求項７】
電極群を用いて使用者の生体インピーダンスを測定する生体情報測定工程と、
２つ又は３つの電極を用いて、前記使用者が前記電極に接触した時の接触インピーダンスを測定する接触インピーダンス測定工程と、
前記接触インピーダンス測定手段が測定した接触インピーダンスが、第１所定範囲内にあるか否かの判別をする判別工程と、を備えること
を特徴とする生体測定方法。
【請求項８】
前記接触インピーダンスが前記第１所定範囲内にないときは、前記使用者に対して、前記電極群に接触させる皮膚を濡らすよう指示する指示工程を備えることを特徴とする請求項７に記載の生体測定方法。
【発明の詳細な説明】
【技術分野】
【０００１】
本発明は、使用者の生体インピーダンスを精度よく測定するための生体測定装置及び生体測定方法に関する。
【背景技術】
【０００２】
従来の体脂肪計や体組成計などの生体測定装置においては、一対の電流供給電極及び一対の電圧測定電極からなる４つの電極を備えており、これらの電極を用いて使用者の生体インピーダンスを測定するＢＩＡ（Ｂｉｏｅｌｅｃｔｒｉｃａｌ  Ｉｍｐｅｄａｎｃｅ  Ａｎａｌｙｓｉｓ）法により脂肪厚などの体組成情報を導き出している。このような生体インピーダンスの測定では、各電極を使用者の皮膚に接触させて、電流印加電極から所定の微弱な電流を印加し電圧測定電極にて電圧を測定して生体インピーダンスを求めているが、生体インピーダンスを正確に測定するには、使用者の身体と電極との接触によって生じる接触インピーダンス（接触抵抗）による影響を考慮する必要がある。即ち、接触インピーダンスが大きいと、使用者の人体の生体インピーダンスの正確な測定をすることができない。
【０００３】
この接触インピーダンスは、電極と人体との接触面の面積に反比例することが知られている。そのため、接触インピーダンスを小さくするためには、面積の大きな電極を用いて人体との接触面積を大きくすればよいが、大きな電極を用いることは、特にハンディタイプの小型の生体測定装置では、装置の大型化を招くため好ましくない。ハンディタイプの生体測定装置として、例えば、腕部や大腿部などの局所的な皮下脂肪厚を手軽に測定するために小型に構成された生体測定装置では、面積の小さな４つの電極を用いる４電極法によって生体インピーダンスを測定するものがある。前記のように、面積の小さい電極をそのまま用いると、接触インピーダンスが大きくなって正確な生体インピーダンスの測定ができなくなるため、電極を大きくすることなく、人体との接触面積をより大きく確保して接触インピーダンスを低下させる目的で、電極と接触させる皮膚を水で濡らした状態で測定をすることが行われている。
【０００４】
ここで、従来の生体測定装置として、出願人は、特許文献１に記載の体組成計において、総ての電極が人体に接触しているか否か（特許文献１の図１１に示すように、人体と非接触の電極の存在によって計測回路がオープン状態になっていないか否か）、という接触異常を判別可能な構成を提案している（特許文献１）。
【先行技術文献】
【特許文献】
【０００５】
【特許文献１】特開２０１２−１７５９９２号公報
【発明の概要】
【発明が解決しようとする課題】
【０００６】
しかしながら、従来の４電極式によるインピーダンス測定によって、特許文献１の体組成計のような接触異常検出をする場合、電極と接触する皮膚が乾燥していても、人体と電極とが接触していれば、接触異常ではないと判別されてしまう場合があった。その場合、電極と接触する皮膚が乾燥していることにより、電極と人体とが密着しないため、接触インピーダンスが大きくなり、正確な生体インピーダンスを測定することができず、そのために体組成情報（例えば脂肪厚）が異常な値を示してしまうことがあった。
【０００７】
そこで、本発明は、電極と接触する人体が、測定に適した状態（密着した状態）、即ち、水で濡れているか否かの状態を判別できるように改良された、生体測定装置及び生体測定方法を提供することを目的とする。
【課題を解決するための手段】
【０００８】
上記課題を解決するために、本発明の生体測定装置は、使用者の生体インピーダンスの測定に用いる電極群を備えた生体情報測定手段と、２つ以上の電極を用いて、使用者が電極に接触したときに使用者と電極との間に生ずる接触インピーダンスを測定する接触インピーダンス測定手段と、接触インピーダンス測定手段が測定した接触インピーダンスが、第１所定範囲内にあるか否かの判別をする判別手段と、を備えることを特徴としている。
【０００９】
本発明の生体測定装置において、接触インピーダンスが第１所定範囲内にないときは、使用者に対して、電極群に接触させる皮膚を濡らすよう指示する指示手段を備えることを特徴としている。
【００１０】
本発明の生体測定装置は、使用者に対して電極群から電流を供給する電流供給部と、電流供給部が供給する電流に基づいて電極群を介して電圧を測定する電圧測定部と、生体情報測定手段による生体インピーダンスの測定時に用いる電極を電流供給部又は電圧測定部に接続する第１電極接続と、接触インピーダンス測定手段による接触インピーダンスの測定時に用いる電極を電流供給部又は電圧測定部に接続する第２電極接続と、を切り換える電極切換手段と、を備えることを特徴としている。
【００１１】
本発明の生体測定装置において、電極切換手段は、接触インピーダンス測定手段による接触インピーダンスの測定時に用いる電極を電流供給部又は電圧測定部に接続する第３電極接続への切り換えが可能であり、第３電極接続において電流供給部及び電圧測定部に接続される電極は２つ以上であり、電極群のうち、第２電極接続において電流供給部又は電圧測定部と接続されない電極であり、判別手段による判別は、第２電極接続において接触インピーダンス測定手段が測定した接触インピーダンスが第１所定範囲内にあるか否かの判別と、第３電極接続において接触インピーダンス測定手段が測定した接触インピーダンスが第１所定範囲内にあるか否かの判別と、を含むことを特徴としている。
【００１２】
本発明の生体測定装置において、電極切換手段は、接触インピーダンス測定手段による接触インピーダンスの測定時に用いる電極を電流供給部又は電圧測定部に接続する第３電極接続への切り換えが可能であり、第３電極接続において電流供給部及び電圧測定部に接続される電極は３つ以上であり、電極群のうち、第２電極接続において電流供給部又は電圧測定部と接続されない電極、及び、第２電極接続において電流供給部及び電圧測定部と接続される電極を含み、判別手段による判別は、第２電極接続において接触インピーダンス測定手段が測定した接触インピーダンスが第１所定範囲内にあるか否かの判別と、第３電極接続において接触インピーダンス測定手段が測定した接触インピーダンスが第１所定範囲内にあるか否かの判別と、を含むことを特徴としている。
【００１３】
本発明の生体測定装置において、接触インピーダンス測定手段に代えて、２つ以上の電極を用いて使用者が電極に接触したときに使用者と電極との間に生ずる接触レジスタンスを測定する接触レジスタンス測定手段、及び／又は、２つ以上の電極を用いて使用者が電極に接触したときに使用者と電極との間に生ずる接触リアクタンスを測定する接触リアクタンス測定手段を備え、判別手段は、接触インピーダンス測定手段が測定した接触インピーダンスが第１所定範囲内にあるか否かの判別をすることに代えて、レジスタンス測定手段が測定した接触レジスタンスが第２所定範囲内にあるか否かを判別し、及び／又は、リアクタンス測定手段が測定した接触リアクタンスが第３所定範囲内にあるか否かを判別することを特徴としている。
【００１４】
本発明の生体測定方法は、電極群を用いて使用者の生体インピーダンスを測定する生体情報測定工程と、２つ又は３つの電極を用いて、使用者が電極に接触した時の接触インピーダンスを測定する接触インピーダンス測定工程と、接触インピーダンス測定手段が測定した接触インピーダンスが、第１所定範囲内にあるか否かの判別をする判別工程と、を備えることを特徴としている。
【００１５】
本発明の生体測定方法において、接触インピーダンスが第１所定範囲内にないときは、使用者に対して、電極群に接触させる皮膚を濡らすよう指示する指示工程を備えることを特徴としている。
【発明の効果】
【００１６】
本発明によると、電極と接触する人体が、測定に適した状態（密着した状態）、即ち、水で濡れているか否かの状態を判別することができるため、接触インピーダンスを確実に低下させることによって生体インピーダンスを正確に測定することが可能となる。
【図面の簡単な説明】
【００１７】
【図１】第１実施形態に係る生体測定装置の外観を示す図であって、（ａ）は正面図、（ｂ）は側面図、（ｃ）は背面図である。
【図２】第１実施形態に係る生体測定装置の構成を示すブロック図である。
【図３】接触インピーダンス測定時の電極と回路の接続関係を概念的に示す図である。
【図４】（ａ）は４電極法の場合の等価回路を示す図であり、（ｂ）は２電極法の場合の等価回路を示す図、（ｃ）は３電極法の場合の等価回路を示す図である。
【図５】第１実施形態に係る生体測定装置による処理の流れを示すフローチャートである。
【図６】第１実施形態の変形例１に係る生体測定装置における電極と回路の接続関係を示す図である。
【図７】第１実施形態の変形例２に係る生体測定装置による処理の流れを示すフローチャートである。
【図８】（ａ）は、接触レジスタンス及び／又は接触リアクタンスの測定における等価回路、（ｂ）は、入力電流及び出力電圧の波形を示す図である。
【図９】第１実施形態の変形例６に係る生体測定装置における、接触インピーダンス測定時の電極と回路の接続関係を概念的に示す図である。
【図１０】本発明の第２実施形態に係る生体測定装置の外観を示す図である。
【発明を実施するための形態】
【００１８】
以下、本発明の実施形態に係る生体情報測定装置、及び、この生体測定装置を用いた生体測定方法について、図面を参照しつつ詳しく説明する。
【００１９】
＜第１実施形態＞
第１実施形態に係る生体測定装置は、本発明の生体測定装置をハンディタイプの脂肪厚計に適用したものであって、４つの電極を用いて生体インピーダンスを測定し、かつ、２つの電極を用いて接触インピーダンスの測定を行う。
【００２０】
図１及び図２を参照して、第１実施形態に係る脂肪厚計（生体測定装置）の構成について説明する。図１は、第１実施形態に係る脂肪厚計１０の外観を示す斜視図、図２は、第１実施形態に係る脂肪厚計１０の構成を示すブロック図である。
【００２１】
脂肪厚計１０は、電流供給電極又は電圧測定電極としての４つの電極１２Ａ、１２Ｂ、１２Ｃ、１２Ｄ、交流電源１４、電圧測定回路１５、電極切換手段としてのマルチプレクサ１６、演算制御部２０、入力装置２１、指示手段としての表示装置２２、時計装置２４、記憶装置２５、及び、判別手段としての判別回路２６を備える。
ここで、４つの電極１２Ａ、１２Ｂ、１２Ｃ、１２Ｄは、例えば、それぞれのサイズが５×１２．５ｍｍであり、電極間距離が１５ｍｍとして配置されている。
【００２２】
脂肪厚計１０の本体１１の前面１１Ａには、入力装置２１及び表示装置２２が配置されている。
入力装置２１は、使用者が操作するスイッチボタンであって、身長、年齢、性別等を入力することができる。
表示装置２２は、例えば液晶ディスプレイであって、入力された個人の身体情報や、測定された生体インピーダンスに基づいて演算された脂肪厚等の生体情報を表示する表示手段であるとともに、指示手段として、接触インピーダンスが第１所定範囲内にないときに、使用者に対して、電極に接触させる皮膚を濡らすように指示するようになっている。
【００２３】
脂肪厚計１０の本体１１の背面１１Ｂには、使用者の生体インピーダンスと接触インピーダンスとを測定することができるように、電流供給電極又は電圧測定電極としての４つの電極１２Ａ、１２Ｂ、１２Ｃ、１２Ｄが設けられている。これらの電極１２Ａ、１２Ｂ、１２Ｃ、１２Ｄは、マルチプレクサ１６にそれぞれ接続されており、マルチプレクサ１６には、微弱な交流電流を出力する交流電源１４と、交流電源１４が出力する交流電流による電圧降下分を測定するための電圧測定回路１５と、マルチプレクサ１６の動作を制御する演算制御部２０と、が接続されている。
【００２４】
マルチプレクサ１６は、演算制御部２０の制御により、生体インピーダンスを測定する場合と接触インピーダンスを測定する場合とで、電極１２Ａ、１２Ｂ、１２Ｃ、１２Ｄと、交流電源１４及び電圧測定回路１５と、の接続を切り換える。
生体インピーダンスを測定する場合、第１電極接続として、一対の電流供給電極１２Ｂ、１２Ｃが交流電源１４に接続され、別の一対の電圧測定電極１２Ａ、１２Ｄが電圧測定回路１５に、それぞれ接続されるように、マルチプレクサ１６によって電極の接続が切り換えられる。生体インピーダンスは、演算制御部２０の制御に基づいて、電流供給電極１２Ｂ、１２Ｃに接触した部位から使用者の身体に電流を供給し、電圧測定電極１２Ａ、１２Ｄの間での電位差に基づいて演算制御部２０において算出する。ここで、使用者の身体への電流の供給は、交流電源１４から電流供給電極１２Ｂ、１２Ｃを介して行い、電位差の測定は、電圧測定電極１２Ａ、１２Ｄに接続された電圧測定回路１５が実行する。
この場合、４つの電極１２Ａ、１２Ｂ、１２Ｃ、１２Ｄは、使用者の生体インピーダンスの測定に用いる電極群として機能している。また、電流供給電極１２Ｂ、１２Ｃ、電圧測定電極１２Ａ、１２Ｄ、交流電源１４、電圧測定回路１５、及びマルチプレクサ１６は、生体情報測定手段を構成する。
【００２５】
接触インピーダンスを測定する場合、第２電極接続として、電極１２Ａ、１２Ｂが、交流電源１４及び電圧測定回路１５にそれぞれ接続されるように、マルチプレクサ１６によって電極の接続が切り換えられる。接触インピーダンスは、使用者が自身の身体に電極１２Ａ、１２Ｂを接触させたときに、接触部位と電極１２Ａ、１２Ｂとの間に生ずるインピーダンスである。接触インピーダンスは、演算制御部２０の制御に基づいて、電極１２Ａ、１２Ｂに接触した部位から使用者の身体に電流を供給し、電極１２Ａ、１２Ｂの間での電位差に基づいて演算制御部２０において算出する。
ここで、電極１２Ａ、１２Ｂが接触インピーダンスの測定に用いる電極であり、電極１２Ａ、１２Ｂ、交流電源１４、電圧測定回路１５、及びマルチプレクサ１６は接触インピーダンス測定手段を構成する。
なお、接触インピーダンスの測定に用いる電極は、上記のように電極１２Ａ、１２Ｄにかぎられず、電極１２Ａ乃至１２Ｄの中からいずれか２つを用いればよい。
【００２６】
図２に示すように、脂肪厚計１０の本体１１の内部には、演算制御部２０、時計装置２４、記憶装置２５、及び判別回路２６が配置されている。
演算制御部２０は、アナログ値からデジタル値への変換、接触インピーダンスや生体インピーダンスの算出、脂肪厚その他の生体情報の算出、各種の制御を行う演算手段である。
演算制御部２０は、これに接続された、交流電源１４、電圧測定回路１５、マルチプレクサ１６、入力装置２１、表示装置２２、時計装置２４、記憶装置２５、及び判別回路２６の動作制御も行う。
【００２７】
時計装置２４は、例えば計時回路であり、現在の日時を計時する時計手段である。記憶装置２５は、記憶手段として、使用者の登録情報（個人データ）、測定された生体インピーダンス値、及び、生体インピーダンス値から算出された、脂肪厚その他の生体情報を記憶する。
【００２８】
記憶装置２５は、例えば、ＲＡＭ（揮発性メモリ（Ｒａｎｄｏｍ  Ａｃｃｅｓｓ  Ｍｅｍｏｒｙ））などによって構成され、初期設定で設定した情報、判別その他の演算に用いる演算式やパラメータ、測定で取得した数値などが保存される。
【００２９】
判別回路２６は、判別手段として、接触インピーダンス測定手段が測定した接触インピーダンスが、第１所定範囲内にあるか否かの判別をする。判別回路２６は、接触インピーダンスが第１所定範囲内にあるとき、生体インピーダンスを正確に測定することができる程度に使用者の測定対象部位が濡れていると判別する。判別結果は、記憶装置２５に保存される。
ここで、第１所定範囲は、電極の面積や厚さ、以下に述べる交流電源及び電圧測定回路と電極の接続形態、などに応じて定め、生体インピーダンスの測定に適した状態、特に、電極と接触する皮膚が水で濡れているといえる状態を示す範囲又は閾値（例えば、１０００Ω）を設定する。
【００３０】
ここで、接触インピーダンス測定時の電極と回路の接続例について説明する。図３は、接触インピーダンス測定時の電極と回路の接続関係を概念的に示す図、図４（ａ）は４電極法の場合の等価回路を示す図、図４（ｂ）は２電極法の場合の等価回路を示す図、図４（ｃ）は３電極法の場合の等価回路を示す図である。
図３においては、模式的に、電圧測定電極又は電流供給電極としての４つの電極５２Ａ、５２Ｂ、５２Ｃ、５２Ｄ、交流電源５４、及び電圧測定回路５５を備える生体測定装置５０を示している。
【００３１】
図３（ａ）の例は、電極と、交流電源及び電圧測定回路との接続関係が、第１実施形態の脂肪厚計１０に対応しており、接触インピーダンス測定時には、２つの電極５２Ａ、５２Ｂが交流電源５４及び電圧測定回路５５にそれぞれ接続されている。これに対して、図３（ｂ）に示す別の例では、接触インピーダンス測定時に、２つの電極５２Ｂ、５２Ｄが交流電源５４及び電圧測定回路５５にそれぞれ接続されている。接触インピーダンスの測定に際しては、このように電極５２Ａ乃至５２Ｄの中からいずれか２つを用いて測定を行えばよい。
【００３２】
図４（ａ）、（ｂ）、（ｃ）は、４つの電極６２Ａ、６２Ｂ、６２Ｃ、６２Ｄ、交流電源６４、電圧測定回路６５、接触インピーダンスＺ１〜Ｚ４、及び、生体インピーダンスＺＨｕｍについての等価回路を示している。この回路においては、交流電源６４から電極を介して使用者の身体に電流ｉが流れる。
図４（ａ）においては、交流電源６４を電極６２Ａ、６２Ｄに接続して電流を供給し、電圧測定回路６５を電極６２Ｂ、６２Ｃに接続して使用者の接触部位における電位差を測定する。この例では、従来の生体インピーダンス法と同様に、４つの電極をすべて使用している（４電極法）。
これに対して、図４（ｂ）においては、交流電源６４を電極６２Ａ、６２Ｄに接続して電流を供給し、電圧測定回路６５も電極６２Ａ、６２Ｄに接続して使用者の接触部位における電位差を測定する。この例は、電極と、交流電源及び電圧測定回路との接続関係が第１実施形態に係る脂肪厚計１０に対応しており、２つの電極６２Ａ、６２Ｄのみを使用している（２電極法）。
また、図４（ｃ）においては、交流電源６４を電極６２Ａ、６２Ｄに接続して電流を供給し、電圧測定回路６５を電極６２Ｂ、６２Ｄに接続して使用者の接触部位における電位差を測定する。この例は、電極と、交流電源及び電圧測定回路との接続関係が、後述の第１実施形態の変形例に対応しており、３つの電極６２Ａ、６２Ｂ、６２Ｄのみを使用している（３電極法）。
【００３３】
図４（ａ）に示す４電極法では、原理的には接触インピーダンスの影響を受けることなく生体インピーダンスＺＨｕｍを測定できる。しかし、電流を流す際、ＺＨｕｍと比較して接触インピーダンスが大きすぎると、生体インピーダンスＺＨｕｍを正しく測定できない。
【００３４】
一方、図４（ｂ）に示す２電極法では、生体インピーダンスＺＨｕｍの測定時に、電流ｉの流れた接触インピーダンスＺ１、Ｚ４についても測定してしまうため、測定されるインピーダンス値をＺとすると、Ｚ＝ＺＨｕｍ＋Ｚ１＋Ｚ４となる。ここで、接触インピーダンスＺ１、Ｚ４は使用者の測定部位の皮膚が乾燥していると、非常に大きな値（Ｚ１、Ｚ４＞＞ＺＨｕｍ）となるため、測定されるインピーダンスＺは非常に大きくなる。接触インピーダンスＺ１、Ｚ４の低減のためには、測定部位の皮膚が濡れている必要がある。
【００３５】
図４（ｃ）に示す３電極法では、２電極法と同様に、生体インピーダンスＺＨｕｍの測定時に、電流ｉの流れた接触インピーダンスＺ４についても測定してしまうため、測定されるインピーダンス値をＺとすると、Ｚ＝ＺＨｕｍ＋Ｚ４となる。ここで、接触インピーダンスＺ４は、使用者の測定部位の皮膚が乾燥していると、非常に大きな値（Ｚ４＞＞ＺＨｕｍ）となるため、接触インピーダンス低減のためには、皮膚が濡れている必要がある。
【００３６】
次に、脂肪厚計１０を用いた生体情報の測定の流れについて説明する。図５は、脂肪厚計１０による処理の流れを示すフローチャートである。第１実施形態に係る脂肪厚計１０においては、接触インピーダンスの測定（接触インピーダンス測定工程）を行ってから生体情報の測定（生体情報測定工程）を行う。
【００３７】
使用者が入力装置２１を操作することによって測定が生体情報の測定が開始すると、演算制御部２０は、使用者に対して電極１２Ａ〜１２Ｄを測定対象部位に接触させるように指示する表示を表示装置２２に表示させるとともに、マルチプレクサ１６を動作させることによって、電極１２Ａ〜１２Ｄと交流電源１４及び電圧測定回路１５との接続を第２電極接続にする（ステップＳ１）。すなわち、電極１２Ａ、１２Ｂを、交流電源１４及び電圧測定回路１５にそれぞれ接続させる。
【００３８】
次に、演算制御部２０は、電極１２Ａ、１２Ｂを介して交流電源１４から使用者の身体に電流を印加させ、電極１２Ａ、１２Ｂを介して電圧測定回路１５に電位差を測定させる。測定した電位差に基づいて、演算制御部２０は接触インピーダンスＺＣを算出・取得する（ステップＳ２、接触インピーダンス測定工程）。取得した接触インピーダンスＺＣは記憶装置２５に保存される。
【００３９】
続いて、判別回路２６は、上記ステップＳ２で取得した接触インピーダンスＺＣが所定閾値（例えば、１０００Ω）未満であるか、すなわち接触インピーダンスＺＣが第１所定範囲の範囲内にあるか否かを判別する（ステップＳ３、判別工程）。
【００４０】
上記ステップＳ３において、接触インピーダンスＺＣが第１所定範囲の範囲内にない場合（ステップＳ３でＮｏ）、エラー処理として、演算制御部２０は、使用者に対して電極１２Ａ、１２Ｂに接触させる皮膚を濡らすように、表示装置２２に表示することによって指示する（ステップＳ８）。ステップＳ８の使用者に対する指示の表示を所定時間行った後に測定は終了する。
【００４１】
上記ステップＳ３において、接触インピーダンスＺＣが第１所定範囲の範囲内にあった場合（ステップＳ３でＹｅｓ）、演算制御部２０は、マルチプレクサ１６を動作させることによって、電極１２Ａ〜１２Ｄと交流電源１４及び電圧測定回路１５との接続を第１電極接続に切り換える（ステップＳ４）。すなわち、一対の電流供給電極１２Ｂ、１２Ｃを交流電源１４に接続し、別の一対の電圧測定電極１２Ａ、１２Ｄを電圧測定回路１５に接続する。
【００４２】
次に、演算制御部２０は、電極１２Ｂ、１２Ｃを介して交流電源１４から使用者の身体に電流を印加させ、電極１２Ａ、１２Ｄを介して電圧測定回路１５に電位差を測定させる。測定した電位差に基づいて、演算制御部２０は生体インピーダンスを算出・取得する（ステップＳ５、生体情報測定工程）。取得した生体インピーダンスは記憶装置２５に保存される。
続いて、演算制御部２０は、取得した生体インピーダンスから脂肪厚等の生体情報を算出し（ステップＳ６）、算出した生体情報を表示装置２２に表示する（ステップＳ７）。ステップＳ７の生体情報の表示を所定時間行った後に、測定は終了する。
【００４３】
以上のように構成されたことから、上記実施形態によれば、次の効果を奏する。
（１）接触インピーダンスの測定によって、使用者の測定部位の皮膚の濡れ具合、又は、濡れているか否かを判別することができる。
（２）測定部位の状態に応じて、使用者に対して、皮膚を濡らすように指示することができ、これによって適切な範囲の接触インピーダンスに抑えることができる。
（３）接触インピーダンスを適正値に抑えた上で生体インピーダンスを測定することができるため、正確な生体インピーダンスを取得することができ、これにより生体インピーダンスから、より正確な生体情報を算出することが可能となる。
（４）使用者の皮膚を濡らすことによって接触インピーダンスを抑えることができるため、電極を大型化する必要がなく、従って、装置全体をコンパクトに維持できる。
【００４４】
以下に変形例について説明する。
＜変形例１＞
上述の第１実施形態においては、２つの電極を用いて接触インピーダンスを測定（図４（ｂ）の２電極法）するものを説明したが、これに代えて、変形例１では、３つの電極を用いて接触インピーダンスを測定（図４（ｃ）の３電極法）するものである。即ち、上述の第１実施形態は、第２電極接続として２電極法を用いる実施形態であるのに対して、変形例１は、第２電極接続として３電極法を用いる実施形態である。図６は、第１実施形態の変形例１に係る生体測定装置における電極と回路の接続関係を示す図である。なお、接触インピーダンスを測定する電極として、上述の第１実施形態では２つの電極を用いること、本変形例１では３つの電極を用いることを説明するが、本発明はこれらに限られず、２つ以上の電極を用いて接触インピーダンスを測定するようにしてもよい。
【００４５】
図６においては、模式的に、電圧測定電極又は電流供給電極としての４つの電極７２Ａ、７２Ｂ、７２Ｃ、７２Ｄ、交流電源７４、及び電圧測定回路７５を備える生体測定装置７０を示している。
図６（ａ）の例では、接触インピーダンス測定時に、第２電極接続として、２つの電極７２Ｂ、７２Ｄが交流電源７４に接続され、２つの電極７２Ｃ、７２Ｄが電圧測定回路７５に接続されており、３つの電極７２Ｂ、７２Ｃ、７２Ｄを用いている。
図６（ｂ）の例では、接触インピーダンス測定時に、第２電極接続として、２つの電極７２Ｃ、７２Ｄが交流電源７４に接続され、２つの電極７２Ｂ、７２Ｄが電圧測定回路７５に接続されており、３つの電極７２Ｂ、７２Ｃ、７２Ｄを用いている。
図６（ｃ）の例では、接触インピーダンス測定時に、第２電極接続として、２つの電極７２Ｂ、７２Ｄが交流電源７４に接続され、２つの電極７２Ａ、７２Ｄが電圧測定回路７５に接続されており、３つの電極７２Ａ、７２Ｂ、７２Ｄを用いている。
図６（ｄ）の例では、接触インピーダンス測定時に、第２電極接続として、２つの電極７２Ａ、７２Ｄが交流電源７４に接続され、２つの電極７２Ｂ、７２Ｄが電圧測定回路７５に接続されており、３つの電極７２Ａ、７２Ｂ、７２Ｄを用いている。
図６（ｅ）の例では、接触インピーダンス測定時に、第２電極接続として、２つの電極７２Ａ、７２Ｄが交流電源７４に接続され、２つの電極７２Ｃ、７２Ｄが電圧測定回路７５に接続されており、３つの電極７２Ａ、７２Ｃ、７２Ｄを用いている。
なお、生体インピーダンス測定時の電極と回路の接続は第１実施形態と同様である。
【００４６】
＜変形例２＞
第１実施形態においては、２つの電極を用いて接触インピーダンスを１回だけ測定するものを説明したが、これに代えて、変形例２では、交流電源及び電圧測定回路と電極との組み合わせを変えて２回の測定を行い、これにより、生体インピーダンスの測定に用いる４枚の電極すべてについて接触インピーダンスの測定を行うものである。即ち、変形例２では、第２電極接続（２電極式）及び第３電極接続（２電極式）によって、それぞれ１回ずつ計２回の接触インピーダンスを測定する実施形態である。これにより、生体インピーダンスの測定に用いる４枚の電極の接触インピーダンスが適切値であるか否かを確認できるため、より正確に生体インピーダンスを測定することが可能となる。図７は、第１実施形態の変形例２に係る生体測定装置による処理の流れを示すフローチャートである。以下の説明では、１回の接触インピーダンスの測定で使用する電極を２つ（図４（ｂ）の２電極法）としている。
【００４７】
変形例２においては、使用者が入力装置２１を操作することによって測定が生体情報の測定が開始すると、演算制御部２０は、使用者に対して電極１２Ａ〜１２Ｄを測定対象部位に接触させるように指示する表示を表示装置２２に表示させるとともに、マルチプレクサ１６を動作させることによって、電極１２Ａ〜１２Ｄと交流電源１４及び電圧測定回路１５との接続を第２電極接続にする（ステップＳ１１）。即ち、電極１２Ａ、１２Ｂを、交流電源１４及び電圧測定回路１５にそれぞれ接続させる。
【００４８】
次に、演算制御部２０は、電極１２Ａ、１２Ｂを介して交流電源１４から使用者の身体に電流を印加させ、電極１２Ａ、１２Ｂを介して電圧測定回路１５に電位差を測定させる。測定した電位差に基づいて、演算制御部２０は接触インピーダンスＺａを算出・取得する（ステップＳ１２）。取得した接触インピーダンスＺａは記憶装置２５に保存される。
【００４９】
続いて、判別回路２６は、上記ステップＳ１２で取得した接触インピーダンスＺａが所定閾値ａ未満であるか、即ち、接触インピーダンスＺａが第１所定範囲の範囲内にあるか否かを判別する（ステップＳ１３）。
【００５０】
上記ステップＳ１３において、接触インピーダンスＺａが第１所定範囲の範囲内にあった場合（ステップＳ１３でＹｅｓ）、演算制御部２０は、マルチプレクサ１６を動作させることによって、電極１２Ａ〜１２Ｄと交流電源１４及び電圧測定回路１５との接続を第２電極接続から第３電極接続へ切り換える（ステップＳ１４）。第３電極接続においては、第２電極接続では交流電源１４及び電圧測定回路１５に接続されていなかった電極１２Ｃ、１２Ｄを、交流電源１４及び電圧測定回路１５にそれぞれ接続させる。
【００５１】
次に、演算制御部２０は、電極１２Ｃ、１２Ｄを介して交流電源１４から使用者の身体に電流を印加させ、電極１２Ｃ、１２Ｄを介して電圧測定回路１５に電位差を測定させる。測定した電位差に基づいて、演算制御部２０は接触インピーダンスＺｂを算出・取得する（ステップＳ１５）。取得した接触インピーダンスＺｂは記憶装置２５に保存される。
【００５２】
続いて、判別回路２６は、上記ステップＳ１５で取得した接触インピーダンスＺｂが所定閾値ｂ未満であるか、即ち、接触インピーダンスＺｂが第１所定範囲の範囲内にあるか否かを判別する（ステップＳ１６）。
【００５３】
上記ステップＳ１３において接触インピーダンスＺａが第１所定範囲の範囲内にない場合（ステップＳ１３でＮｏ）、及び、上記ステップＳ１６において接触インピーダンスＺｂが第１所定範囲の範囲内にない場合（ステップＳ１６でＮｏ）、エラー処理として、演算制御部２０は、使用者に対して電極に接触させる皮膚を濡らすように、表示装置２２に表示することによって指示する（ステップＳ２１）。ステップＳ２１の使用者に対する指示の表示を所定時間行った後に測定は終了する。
【００５４】
上記ステップＳ１６において、接触インピーダンスＺｂが第１所定範囲の範囲内にあった場合（ステップＳ１６でＹｅｓ）、演算制御部２０は、マルチプレクサ１６を動作させることによって、電極１２Ａ〜１２Ｄと交流電源１４及び電圧測定回路１５との接続を第３電極接続から第１電極接続へ切り換える（ステップＳ１７）。すなわち、一対の電流供給電極１２Ｂ、１２Ｃを交流電源１４に接続し、別の一対の電圧測定電極１２Ａ、１２Ｄを電圧測定回路１５に接続する。
【００５５】
次に、演算制御部２０は、電極１２Ｂ、１２Ｃを介して交流電源１４から使用者の身体に電流を印加させ、電極１２Ａ、１２Ｄを介して電圧測定回路１５に電位差を測定させる。測定した電位差に基づいて、演算制御部２０は生体インピーダンスを算出・取得する（ステップＳ１８）。取得した生体インピーダンスは記憶装置２５に保存される。
続いて、演算制御部２０は、取得した生体インピーダンスから脂肪厚を含む生体情報を算出し（ステップＳ１９）、算出した生体情報を表示装置２２に表示する（ステップＳ２０）。ステップＳ２０の生体情報の表示を所定時間行った後に、測定は終了する。
【００５６】
＜変形例３＞
変形例２では、１回の接触インピーダンスの測定で使用する電極を２つ（図４（ｂ）の２電極法）とするものを説明したが、これに代えて３つの電極を使用してもよい（図４（ｃ）の３電極法）。即ち、変形例３では、第２電極接続（３電極式）及び第３電極接続（３電極式）によって、それぞれ１回ずつ計２回の接触インピーダンスを測定する実施形態である。
変形例３の処理の流れは、変形例２の場合と同様であるため省略する。ここで、変形例２の第３電極接続においては、第２電極接続で交流電源１４及び電圧測定回路１５に接続されていなかった電極１２Ｃ、１２Ｄを用いていたのに対し、変形例３の第３電極接続においては、第２電極接続で交流電源１４及び電圧測定回路１５に接続されていなかった電極に加えて、第２電極接続で交流電源１４及び電圧測定回路１５に接続されていた電極も含んでいる。このような電極接続によっても、生体インピーダンスの測定に用いる４枚の電極すべてについて接触インピーダンスの測定を行い得る。
【００５７】
＜変形例４＞
第１実施形態及び上述の変形例１乃至変形例３では、接触インピーダンスを測定するものを説明したが、これに加えて、又は、これに代えて、変形例４では、電極と使用者の皮膚との間に生ずる、接触レジスタンス及び／又は接触リアクタンスを測定するものである。変形例４においては、判別回路２６は、測定した接触レジスタンスが第２所定範囲内にあるか否かを判別し、及び／又は、測定した接触リアクタンスが第３所定範囲内にあるか否かを判別する。接触レジスタンスが第２所定範囲内にあり、及び／又は、接触リアクタンスが第３所定範囲内にある場合は、第１実施形態と同様に生体インピーダンスを取得して生体情報を算出・表示する。一方、接触レジスタンスが第２所定範囲内にない、及び／又は、接触リアクタンスが第３所定範囲内にない場合は、第１実施形態と同様にエラー処理として、使用者に対して電極に接触させる皮膚を濡らすように表示装置２２に表示する。
ここで、第２所定範囲及び第３所定範囲は、電極の面積・厚みや、交流電源及び電圧測定回路と電極の接続形態、などに応じて定め、生体インピーダンスの測定に適した状態、特に、電極と接触する皮膚が水で濡れているといえる状態を示す範囲又は閾値（例えば、接触レジスタンスについて５００Ω、接触リアクタンスについて１０００Ω）を設定する。
例えば、第１実施形態における電極１２Ａ、１２Ｂを接触レジスタンス及び／又は接触リアクタンスの測定に用いる電極とし、電極１２Ａ、１２Ｂ、交流電源１４、電圧測定回路１５、及びマルチプレクサ１６を接触レジスタンス測定手段及び／又は接触リアクタンス測定手段として構成すればよい。
【００５８】
接触レジスタンス及び／又は接触リアクタンスの測定の方法については、特に限定されるものではない。
例えば、（１）電極１２Ａ、１２Ｂが人体に接触したときに、交流電源１４から出力される電流と、電圧測定回路１５にて測定される電圧とから、両者の位相差を求めるとともに、接触インピーダンスを算出し、その位相差と接触インピーダンスとから、接触インピーダンスの実数部分である接触レジスタンス（Ｒ）と、接触インピーダンスの虚数部分である接触リアクタンス（Ｘ）と、をそれぞれ求めればよい。
また、（２）電極１２Ａ、１２Ｂが人体に接触したときに、図８（ａ）に示す等価回路の電極１２Ａ、１２Ｂを通して人体にｉ（ｔ）＝ｓｉｎωｔの電流を流し、電極１２Ａ、１２Ｂ間の出力電圧ＶＨＵＭをサンプリングしてＡＤ変換する（回路処理）。その後、図８（ｂ）に示した入力電流ｉ（ｔ）の波形とＡＤ変換した出力電圧ＶＨＵＭの波形とを用いて波形処理（ＤＦＴ処理）をすることにより、その入力電流値（ｉ（ｔ））と出力電圧値（ＶＨＵＭ）に基づいて接触レジスタンス（Ｒ）と接触リアクタンス（Ｘ）とをそれぞれ求めればよい（ソフト処理）。なお、前記求めた接触レジスタンス（Ｒ）と接触リアクタンス（Ｘ）とを用いて位相差と接触インピーダンスとをそれぞれ求めることができる。
【００５９】
＜変形例５＞
第１実施形態においては、生体情報測定工程の前に接触インピーダンス測定工程を行うものを説明したが、これに代えて、生体情報測定工程の後に接触インピーダンス測定工程を行っても良い。この場合、判別回路２６を用いた判別工程において、接触インピーダンスが第１所定範囲内にないと判別したときは第１実施形態と同様のエラー処理を行って使用者の皮膚を濡らした状態で再度生体情報測定工程を実行する。
また、判別回路２６による判別工程の前に生体情報測定工程と接触インピーダンス測定工程を実行してもよい。
【００６０】
＜変形例６＞
第１実施形態においては、電極切換手段としてのマルチプレクサ１６を用いて、第１電極接続と第２電極接続との切換えを行うものを説明したが、本発明における電極切換手段はマルチプレクサに限定されない。一例として、マルチプレクサ１６に代えて、後述のようなスイッチを設けるようにしてもよい。図９は、第１実施形態の変形例６に係る生体測定装置における、接触インピーダンス測定時の電極と回路の接続関係を概念的に示す図である。
【００６１】
図９（ａ）においては、模式的に、電圧測定電極又は電流供給電極としての４つの電極８２Ａ、８２Ｂ、８２Ｃ、８２Ｄ、交流電源８４ａ、電圧測定回路８５ａ、及びスイッチ８６ａを備える生体測定装置８０ａを示している。
図９（ａ）の例では、生体インピーダンス測定時は、スイッチ８６ａを開いて第１電極接続とする。このとき、２つの電極８２Ｂ、８２Ｃが交流電源８４ａに接続され、２つの電極８２Ａ、８２Ｄが電圧測定回路８５ａに接続されるようになっている。一方、接触インピーダンス測定時は、スイッチ８６ａを閉じて第２電極接続とする。このとき、スイッチ８６ａにより電極８２Ａ及び電極８２Ｂが短絡するので、電極８２Ａ、８２Ｂと、電極８２Ｃとが交流電源８４ａに接続され、電極８２Ａ、８２Ｂと、電極８２Ｄとが電圧測定回路８５ａに接続される。これにより、４つの電極８２Ａ、８２Ｂ、８２Ｃ、８２Ｄを用いつつも、実質的に３電極法と同様の測定を実現することが可能となる。
【００６２】
図９（ｂ）においては、模式的に、電圧測定電極又は電流供給電極としての４つの電極８２Ａ、８２Ｂ、８２Ｃ、８２Ｄ、交流電源８４ｂ、電圧測定回路８５ｂ、及びスイッチ８６ｂ１、８６ｂ２を備える生体測定装置８０ｂを示している。
図９（ｂ）の例では、生体インピーダンス測定時は、スイッチ８６ｂ１、８６ｂ２を開いて第１電極接続とする。このとき、２つの電極８２Ｂ、８２Ｃが交流電源８４ｂに接続され、２つの電極８２Ａ、８２Ｄが電圧測定回路８５ｂに接続されるようになっている。一方、接触インピーダンス測定時は、スイッチ８６ｂ１、８６ｂ２を閉じて第２電極接続とする。このとき、スイッチ８６ｂ１により電極８２Ａ及び電極８２Ｂが短絡し、スイッチ８６ｂ２により電極８２Ｃ及び電極８２Ｄが短絡するので、電極８２Ａ、８２Ｂと、電極８２Ｃ、８２ｄとが交流電源８４ｂに接続され、電極８２Ａ、８２Ｂと、電極８２Ｃ、８２Ｄとが電圧測定回路８５ｂに接続される。これにより、４つの電極８２Ａ、８２Ｂ、８２Ｃ、８２Ｄを用いつつも、実質的に２電極法と同様の測定を実現することが可能となる。
【００６３】
さらに、図９（ｂ）に示す例において、生体インピーダンス測定時は、スイッチ８６ｂ１、８６ｂ２の両方を開いて第１電極接続とし、接触インピーダンス測定時は、スイッチ８６ｂ１のみを閉じて第２電極接続とし、スイッチ８６ｂ２のみを閉じて第３電極接続とするようにしてもよい。
スイッチ８６ｂ１のみを閉じたとき（第２電極接続）は、スイッチ８６ｂ１により電極８２Ａ及び電極８２Ｂが短絡するので、電極８２Ａ、８２Ｂと、電極８２Ｃとが交流電源８４ｂに接続され、電極８２Ａ、８２Ｂと、電極８２Ｃとが電圧測定回路８５ｂに接続される。また、スイッチ８６ｂ２のみを閉じたとき（第３電極接続）は、スイッチ８６ｂ２により電極８２Ｃ及び電極８２Ｄが短絡するので、電極８２Ｂと、電極８２Ｃ、８２Ｄとが交流電源８４ｂに接続され、電極８２Ｂと、電極８２Ｃ、８２Ｄとが電圧測定回路８５ｂに接続される。
これにより、４つの電極８２Ａ、８２Ｂ、８２Ｃ、８２Ｄを用いて、３電極法を組み合わせた測定を実質的に実現することが可能となり、生体インピーダンスの測定に用いる４枚の電極すべてについて接触インピーダンスの測定を行うことができる。
【００６４】
なお、上記の図９（ａ）及び（ｂ）に示す例において、交流電源と電圧測定回路とを入れ替えた構成に変更することも可能である。
【００６５】
第１実施形態及び上述の変形例では、接触インピーダンスを測定することによって、使用者の測定部位の濡れ具合を判別することができたが、これに代えて又はこれに加えて次のように判別してもよい。即ち、生体インピーダンス測定用の電極（例えば、図１における電極１２Ｂ及び１２Ｃ）の間に、互いに近接した複数（例えば２つ）の小電極を配置し、生体インピーダンス測定用の電極を使用者の皮膚に接触させたときに、前記複数の小電極が、皮膚面にある水滴の存在によって、電気的に互いにショートしたか否かにより、使用者の皮膚の濡れ具合を判別する。もしくは、スプレーなどで電極を直接濡らした時に、前記複数の小電極が水滴の存在によって、電気的に互いにショートしたか否かにより、電極面の濡れ具合を判定しても良い。電極面にある水滴の存在によって、皮膚に密着しやすくなり、接触インピーダンスが異常になるのを防ぐことが可能となる。
【００６６】
第１実施形態及び上述の変形例では、４つの電極からなる電極群によって生体インピーダンスを測定し、上記電極群のうちの２つ又は３つの電極を用いて接触インピーダンスを測定していたが、使用者の測定部位又はその近傍の皮膚の接触インピーダンスの測定ができれば、生体インピーダンスの測定に用いる電極とは別の専用電極によって、又は、上記専用電極と生体インピーダンスの測定に用いた電極を組み合わせて、接触インピーダンスを測定してもよい。
【００６７】
＜第２実施形態＞
第２実施形態に係る生体測定装置は、本発明の生体測定装置を体組成計に適用したものである。２つの電極を用いて接触インピーダンスを測定する点は第１実施形態と同様である。図１０は、第２実施形態に係る体組成計１００（生体測定装置）の外観を示す図である。
ここで、体組成計１００により取得可能な生体情報としては、体重、脂肪率、内臓脂肪レベル、体水分量、筋肉量、基礎代謝量、骨量、除脂肪量、体細胞量、血圧、内臓脂肪面積、ＢＭＩ、肥満度、細胞内液量、細胞外液量などを含む。
【００６８】
図１０に示すように、体組成計１００は、その本体１１０の上面に、電流供給電極又は電圧測定電極としての４つの電極１２０Ａ、１２０Ｂ、１２０Ｃ、１２０Ｄ、入力装置２１０、及び、指示手段としての表示装置２２０を備える。電極１２０Ａ、１２０Ｂ、１２０Ｃ、１２０Ｄ、入力装置２１０、及び、表示装置２２０は、第１実施形態の脂肪厚計１０における、電極１２Ａ、１２Ｂ、１２Ｃ、１２Ｄ、入力装置２１、及び表示装置２２にそれぞれ対応する。体組成計１００は、さらに、第１実施形態における、交流電源１４、電圧測定回路１５、マルチプレクサ１６、演算制御部２０、時計装置２４、記憶装置２５、及び、判別回路２６にそれぞれ対応する、交流電源、電圧測定回路、マルチプレクサ、演算制御部、時計装置、記憶装置、及び、判別回路（何れも不図示）を備える。
ここで、４つの電極１２０Ａ、１２０Ｂ、１２０Ｃ、１２０Ｄのうち面積の大きな電極１２０Ａ、１２０Ｃは、例えば、それぞれのサイズが７×１１ｃｍである。
【００６９】
体組成計１００における処理については、第１実施形態又はその変形例と同様であるため説明は省略する。
体組成計１００は、左足を電極１２０Ａ、１２０Ｂ上に載せ、右足を電極１２０Ｃ、１２０Ｄ上に載せた状態で測定を行うため、接触インピーダンスの測定によって、使用者の足の状態を判断することが可能となる。例えば、使用者がストッキング等を履いている場合には接触インピーダンスが大きくなるため、使用者が裸足で体組成計１００に載っているか否かを判別できる。また、使用者の足の裏が角質化している場合には接触インピーダンスが大きくなるため、角質化の有無や程度を判別できる。使用者がストッキング等を履いている又は足の裏が角質化していると判別した場合には、エラー処理（図５のステップＳ８）を行って、ストッキングを脱ぐように、又は、足の裏を濡らすように指示する。これにより、正確な生体インピーダンスが測定できるようになり、その後に、より正しい値の生体情報を算出することが可能となる。
なお、その他の構成、作用、効果は第１実施形態と同様である。
【００７０】
本発明について上記実施形態を参照しつつ説明したが、本発明は上記実施形態に限定されるものではなく、改良の目的または本発明の思想の範囲内において改良または変更が可能である。
【産業上の利用可能性】
【００７１】
以上のように、本発明に係る生体測定装置及び生体情報測定方法は、電極と接触する部位の接触インピーダンスを抑え、正確な生体インピーダンスを算出する点で有用である。
【符号の説明】
【００７２】
１０    脂肪厚計（生体測定装置）
１２Ａ、１２Ｂ、１２Ｃ、１２Ｄ  電極（生体情報測定手段）
１４    交流電源（生体情報測定手段、接触インピーダンス測定手段）
１５    電圧測定回路（生体情報測定手段、接触インピーダンス測定手段）
１６    マルチプレクサ（電極切換手段、生体情報測定手段、接触インピーダンス測定手段）
２０    演算制御部
２２    表示装置（指示手段）
２６    判別回路（判別手段）
５０    生体測定装置
５２Ａ、５２Ｂ、５２Ｃ、５２Ｄ  電極（生体情報測定手段）
５４    交流電源（生体情報測定手段、接触インピーダンス測定手段）
５５    電圧測定回路（生体情報測定手段、接触インピーダンス測定手段）
６２Ａ、６２Ｂ、６２Ｃ、６２Ｄ  電極（生体情報測定手段）
６４    交流電源（生体情報測定手段、接触インピーダンス測定手段）
６５    電圧測定回路（生体情報測定手段、接触インピーダンス測定手段）
７０    生体測定装置
７２Ａ、７２Ｂ、７２Ｃ、７２Ｄ  電極（生体情報測定手段）
７４    交流電源（生体情報測定手段、接触インピーダンス測定手段）
７５    電圧測定回路（生体情報測定手段、接触インピーダンス測定手段）
８０ａ、８０ｂ    生体測定装置
８２Ａ、８２Ｂ、８２Ｃ、８２Ｄ  電極（生体情報測定手段）
８４ａ、８４ｂ    交流電源（生体情報測定手段、接触インピーダンス測定手段）
８５ａ、８５ｂ    電圧測定回路（生体情報測定手段、接触インピーダンス測定手段）
８６ａ、８６ｂ１、８６ｂ２    スイッチ
１００  体組成計（生体測定装置）
１２０Ａ、１２０Ｂ、１２０Ｃ、１２０Ｄ  電極（生体情報測定手段）
２２０    表示装置（指示手段）
【図１】
2015002779.tif 000003
【図２】
2015002779.tif 000004
【図３】
2015002779.tif 000005
【図４】
2015002779.tif 000006
【図５】
2015002779.tif 000007
【図６】
2015002779.tif 000008
【図７】
2015002779.tif 000009
【図８】
2015002779.tif 000010
【図９】
2015002779.tif 000011
【図１０】
2015002779.tif 000012